(57)【要約】【課題】カプセル自販機に対応可能であるとともに、模型パーツを取り出した後の容器を廃棄することなく利用できる模型パーツ供給物を提供する。【解決手段】模型パーツ供給物１は、各リング部１３の端面同士が当接するように各ランナー３０が互いに組み合わせられることにより、各模型パーツ４１が内包された略球状体に組み立てられる。このため、カプセル自販機に対応可能な模型パーツ供給物１を提供することができる。また、各リング部１３の外面には、略球状体の外観として地球の地図が意匠１２として施されているので、模型パーツ４１を取り出した後に再度組み立てることにより、地球儀の置物として使用することができる。【選択図】図１
2018157963.tif 000002
【特許請求の範囲】
【請求項１】
枠状のリング部と、
前記リング部の内面から中空部に向かって伸びる支持枝と、を備え、
模型を構成する模型パーツが前記支持枝に支持されるランナーを複数有し、
前記各リング部の端面同士が当接するように前記各ランナーが互いに組み合わせられることにより前記各模型パーツが内包された略球状体であり、
前記各リング部の外面には前記略球状体の外観として統一された意匠が施されている模型パーツ供給物。
【請求項２】
請求項１に記載の模型パーツ供給物であって、
前記各ランナーは、それぞれの前記各リング部における内面に設けられ、隣り合う他のランナーにおける内面に沿うリブが設けられている模型パーツ供給物。
【請求項３】
請求項１または請求項２に記載の模型パーツ供給物であって、
前記各ランナーは、前記支持枝及び前記模型パーツが前記リング部の端面に沿って配置されている模型パーツ供給物。
【請求項４】
請求項３に記載の模型パーツ供給物であって、
前記各ランナーは、前記支持枝及び前記模型パーツが前記リング部における両端面のうちの小径側の端面に沿って配置されている模型パーツ供給物。
【請求項５】
請求項１ないし請求項４のうちのいずれか１項に記載の模型パーツ供給物であって、
前記各模型パーツのうちの大型の模型パーツは、前記各リング部のうちの大径のリング部に設けられ、
前記各模型パーツのうちの小型の模型パーツは、前記各リング部のうちの小径のリング部に設けられている模型パーツ供給物。
【請求項６】
請求項１ないし請求項５のうちのいずれか１項に記載の模型パーツ供給物であって、
前記ランナーの貫通方向に沿った厚み寸法は、前記各リング部が前記支持枝を介して支持する前記模型パーツにおける前記リング部の貫通方向に沿った最大寸法よりも大きい模型パーツ供給物。
【請求項７】
請求項１ないし請求項６のうちのいずれか１項に記載の模型パーツ供給物であって、
前記各リング部は、互いの積層方向両端部に前記略球状体の一部となる蓋部を有する模型パーツ供給物。
【請求項８】
請求項１ないし請求項７のうちのいずれか１項に記載の模型パーツ供給物であって、
前記各リング部の結合状態を維持する結合手段を有する模型パーツ供給物。
【請求項９】
請求項８に記載の模型パーツ供給物であって、
前記結合手段は、前記各リング部の積層方向に沿うとともに、前記略球状体の外観の一部を形成する略Ｃ字状の結合部材を有する模型パーツ供給物。
【請求項１０】
請求項９に記載の模型パーツ供給物であって、
前記各リング部の外面と、前記結合部材の凹状曲面とのうちの一方に突部が設けられ、
前記各リング部の外面と、前記結合部材の凹状曲面とのうちの他方に前記突部が係合可能な孔部が設けられている模型パーツ供給物。
【請求項１１】
請求項８に記載の模型パーツ供給物であって、
前記結合手段は、前記略球状体を略入れ子状に覆うとともに分割可能な略球状の被覆部材を有する模型パーツ供給物。
【発明の詳細な説明】
【技術分野】
【０００１】
本発明は、模型のパーツを収容した模型パーツ供給物に関する。
【背景技術】
【０００２】
近年、飲料水の自販機が市中に多く設置されている。このような自販機は、多様な飲料水がそれぞれ円筒形状の容器に収容され、使用者の選択により特定の容器が排出される。
そして、本願出願人は、飲料水の自販機に対応したパーツ供給品を提案した（特許文献１参照）。
【０００３】
特許文献１のパーツ供給品は、模型を構成するパーツがランナーに支持されているとともに、ランナーが円筒形状の輪郭を構成している。このパーツ供給品は、ランナーの一部に沿って覆う包装材により円筒面が構成される。
このようなパーツ供給品は、パーツをコンパクトに収容できるとともに、パーツが切り離された後のランナーが台座として機能するため、廃棄物を少なくできる。
【先行技術文献】
【特許文献】
【０００４】
【特許文献１】特開２０１２−１８７３０２号公報
【発明の概要】
【発明が解決しようとする課題】
【０００５】
一方、従来より、玩具等を販売するためのカプセル自販機が広く知られている。
カプセル自販機においては、半割り可能な球形状の容器に玩具等が収容され、使用者が硬貨あるいはトークンを投入すると、玩具入りの容器が排出される。容器は、使用者が玩具等の内容物を取り出した後、廃棄されることが多い。
【０００６】
ところで、特許文献１に示したパーツ供給品をカプセル自販機に適応させることが考えられるが、特許文献１のパーツ供給品は外形状が円筒形状であるため、前述したカプセル自販機に対応できない。
また、特許文献１のパーツ供給品は、ランナーが容器の外形状の一部のみを構成するものであるため、ランナーが容器としての機能を完全には備えておらず、カプセル自販機に対応できない。
さらに、特許文献１のパーツ供給品は、容器の外形状を構成する包装が別途必要であるとともに、使用者が玩具等の内容物を取り出した後は、包装を廃棄することになる。
【０００７】
本発明は、カプセル自販機に対応可能であるとともに、模型パーツを取り出した後の容器を利用できる模型パーツ供給物を提供することを目的とする。
【課題を解決するための手段】
【０００８】
本発明に係る模型パーツ供給物は、枠状のリング部と、前記リング部の内面から中空部に向かって伸びる支持枝と、を備え、模型を構成する模型パーツが前記支持枝に支持されるランナーを複数有し、前記各リング部の端面同士が当接するように前記各ランナーが互いに組み合わせられることにより前記各模型パーツが内包された略球状体であり、前記各リング部の外面には前記略球状体の外観として統一された意匠が施されていることを特徴とする。
【０００９】
また、本発明に係る模型パーツ供給物においては、前記各ランナーは、それぞれの前記各リング部における内面に設けられ、隣り合う他のランナーにおける内面に沿うリブが設けられていてもよい。
【００１０】
また、本発明に係る模型パーツ供給物においては、前記各ランナーは、前記支持枝及び前記模型パーツが前記リング部の端面に沿って配置されていてもよい。
【００１１】
また、本発明に係る模型パーツ供給物においては、前記各ランナーは、前記リング部における両端面のうちの小径側の端面に沿って配置されていてもよい。
【００１２】
また、本発明に係る模型パーツ供給物は、前記各模型パーツのうちの大型の模型パーツは、前記各リング部のうちの大径のリング部に設けられ、前記各模型パーツのうちの小型の模型パーツは、前記各リング部のうちの小径のリング部に設けられていてもよい。
【００１３】
また、本発明に係る模型パーツ供給物は、前記ランナーの貫通方向に沿った厚み寸法は、前記各リング部が前記支持枝を介して支持する前記模型パーツにおける前記リング部の貫通方向に沿った最大寸法よりも大きくてもよい。
【００１４】
また、本発明に係る模型パーツ供給物は、前記各リング部は、互いの積層方向両端部に前記略球状体の一部となるレンズ状の蓋部を有してもよい。
【００１５】
また、本発明に係る模型パーツ供給物は、前記各リング部の結合状態を維持する結合手段を有してもよい。
【００１６】
また、本発明に係る模型パーツ供給物は、前記結合手段は、前記各リング部の積層方向に沿うとともに、前記略球状体の外観の一部を形成する略Ｃ字状の結合部材を有してもよい。
【００１７】
また、本発明に係る模型パーツ供給物は、前記各リング部の外面と、前記結合部材の凹状曲面とのうちの一方に突部が設けられ、前記各リング部の外面と、前記結合部材の凹状曲面とのうちの他方に前記突部が係合可能な孔部が設けられていてもよい。
【００１８】
また、本発明に係る模型パーツ供給物は、前記結合手段は、前記略球状体を略入れ子状に覆うとともに分割可能な略球状の被覆部材を有してもよい。
【発明の効果】
【００１９】
本発明によれば、カプセル自販機に対応可能であるとともに、模型パーツを取り出した後の容器を利用できる模型パーツ供給物を提供することができる。
【図面の簡単な説明】
【００２０】
【図１】（Ａ）は本発明の第１実施形態である模型パーツ供給物の外観を示す斜視図であり、（Ｂ）は模型パーツ供給物により供給されたパーツを組み立ててできる模型を示す斜視図である。
【図２】本発明の第１実施形態である模型パーツ供給物を上極点と下極点を通る平面で切断した断面図である。
【図３】複数のリング部と、複数のリング部を結合する結合手段を示す分解斜視図である。
【図４】複数のリング部及び結合手段を分解した分解斜視図である。
【図５】リング部の内部の一例を示す斜視図である。
【図６】リング部の内部の別の例を示す斜視図である。
【図７】蓋部に近いリング部の内部を示す斜視図である。
【図８】蓋部の外側を示す斜視図である。
【図９】本発明の第２実施形態である模型パーツ供給物における容器部分の外観、被覆部材の外観及び模型パーツ供給物により供給されるパーツを示す斜視図である。
【図１０】本発明の第２実施形態である模型パーツ供給物の被覆部材を分解して外した状態の斜視図である。
【図１１】本発明の第２実施形態である模型パーツ供給物を上極点と下極点を通る平面で切断した断面図である。
【発明を実施するための形態】
【００２１】
［本発明の第１実施形態］
図１（Ａ）は本発明の第１実施形態である模型パーツ供給物の外観を示す斜視図であり、図１（Ｂ）は模型パーツ供給物により供給されたパーツを組み立ててできる模型を示す斜視図である。
【００２２】
図１（Ａ）に示す模型パーツ供給物１は、内部に中空部１１（図２参照）を有する全体球状の容器部分１０と、容器部分１０の内面に支持されて中空部１１に収納されている模型である例えば飛行機４０（図１（Ｂ）参照）の模型パーツ４１（図５参照）とを有する。容器部分１０の外面は球面であり、例えば地球儀のような地図の模様や彩色や凹凸を有する意匠１２が施されている。
なお、図２以降の図においても、容器部分１０の外面１３ｄには意匠１２が施されているのは同様であるが、説明の都合上、意匠１２を省略して図示している。また、以下の説明においては、地球儀の北極点に該当する位置を「上極点Ｐ１」、南極に該当する位置を「下極点Ｐ２」で表すこととする。
【００２３】
図２〜図４に示すように、容器部分１０は、上極点Ｐ１と下極点Ｐ２とを結ぶ中心線ＣＬに対して直交する平面ＰＬで切断した複数のリング部１３と、上極点Ｐ１及び下極点Ｐ２を含む蓋部１４と、複数のリング部１３を結合させて球を形成する結合手段２０とを有する。
なお、図２〜図４においては、容器部分１０に含まれる飛行機４０の模型パーツ４１については、後で詳述するので図示を省略している。また、図４においては、一方の結合手段２０のみ図示しているが、結合手段２０は反対側にも設けられている。
【００２４】
各リング部１３は、円形の枠状を呈しており、直径が大きな大径側端面１３ａと、直径が小さな小径側端面１３ｂとを有する。互いに平行な平面ＰＬに沿って球が切断されたように形成されるので、大径側端面１３ａと小径側端面１３ｂとは、平行になっている。
なお、上極点Ｐ１又は下極点Ｐ２を含む上端部及び下端部においては、蓋部１４が形成されており、蓋部１４には容器部分１０の中心点ＣＰに近い側の大径側端面１３ａのみが開口しており、反対側は開口していないので小径側端面１３ｂは存在しない。また、ここでは、蓋部１４として、一定の厚さで内面が凹んでいるものを例示しているが、内面が平らなものであってもよい。
【００２５】
リング部１３の内面１３ｃには、大径側端面１３ａから隣接するリング部１３の内面に沿ってリブ１６が設けられている。したがって、リブ１６は、大径側端面１３ａから隣接するリング部１３側に突出している。また、リング部１３の外面１３ｄには、上極点Ｐ１及び下極点Ｐ２を通る面に沿って、溝１７が全周にわたって設けられている。そして、溝１７の底面１７ａには、各リング部１３毎にリング部１３を貫通する孔部１５が設けられている。
【００２６】
蓋部１４は、平面視円形で、内部が窪んだ形状を呈している。蓋部１４の外面１４ａにも、リング部１３の溝１７に連続する溝１７が設けられており、上側の蓋部１４の頂点部分の溝１７の底面１７ａには、上極点Ｐ１を挟んで一対の固定凸部１４ｂが設けられている（図８参照）。また、下側の蓋部１４の頂点部分の溝１７の底面１７ａには、下極点Ｐ２を挟んで一対の固定凸部１４ｂが設けられている。固定凸部１４ｂの先端は、丸くあるいは細くなっている。
【００２７】
容器部分１０は、結合手段２０として、各リング部１３の積層方向に沿うとともに、略球状体の外観の一部を形成する略Ｃ字状の結合部材２１を一対有する。各結合部材２１は、隣接するリング部１３の大径側端面１３ａと小径側端面１３ｂとが接する状態を維持するものであり、各リング部１３の溝１７に嵌められる。このため、結合部材２１は、上極点Ｐ１と下極点Ｐ２との間に設けられて、上極点Ｐ１と下極点Ｐ２とを近づける方向に付勢している。
【００２８】
したがって、結合部材２１は、溝１７に取り付ける前の無荷重の状態では、容器部分１０の外径よりも小さな半径で湾曲しており、溝１７に取り付ける際に結合部材２１を広げるように弾性変形させて、取り付ける。これにより、溝１７に取り付けた後は、結合部材２１の弾性力により、上極点Ｐ１と下極点Ｐ２とを近づける方向に付勢することができ（図３において矢印Ａ参照）、各リング部１３及び蓋部１４を一体化して略球状体を保持する。
【００２９】
結合部材２１の内面２１ａには、各リング部１３の孔部１５に対応して、突部２３が設けられている。突部２３の先端は丸くあるいは細く形成されており、基端部は略孔部１５の幅と等しい幅で形成されている。これにより、突部２３が各リング部１３の孔部１５に挿嵌されることにより、各リング部１３の位置決めを図るとともに、ずれないように保持することができる。
また、結合部材２１の上端部及び下端部には、蓋部１４の固定凸部１４ｂが嵌合する固定孔部２２が設けられている。
【００３０】
図５〜図７に示すように、リング部１３の内面１３ｃには、中空部１１に向かって支持枝１８が設けられており、支持枝１８の先端に模型パーツ４１が取り付けられている。支持枝１８は模型パーツ４１の両側に設けられており、模型パーツ４１がぐらつかないように支持している。これにより、リング部１３に支持枝１８を介して模型パーツ４１が取り付けられたランナー３０が形成される。
なお、支持枝１８は、リング部１３に取り付けられている基端部は太く頑丈であり、模型パーツ４１に取り付けられている先端部は細くなって、模型パーツ４１を切り離し易くなっている。また、蓋部１４の内部には、支持枝１８及び模型パーツ４１は、設けられていない。
【００３１】
支持枝１８は、リング部１３の小径側端面１３ｂに沿って設けられており、模型パーツ４１も小径側端面１３ｂ側に取り付けられている。
なお、容器部分１０の中央（赤道部分）に設けられているリング部１３では、両端面が同じ径となる場合があるが、この場合は、いずれか一方の端面側に支持枝１８を設けることができる。
【００３２】
図５に示すように、大型の模型パーツ４１は、大径のリング部１３に設けられており、図７に示すように、小型の模型パーツ４１は、小径のリング部１３に設けられている。また、図４に示すように、ランナー３０の貫通方向に沿った厚み寸法、すなわち、リング部１３の高さ寸法Ｈ１は、各リング部１３が支持枝１８を介して支持する模型パーツ４１におけるリング部１３の貫通方向に沿った最大厚み寸法Ｈ２よりも大きい。
【００３３】
次に、模型パーツ供給物１の組み立て方について説明する。
図４に示すように、各リング部１３を積層する。このとき、大径側端面１３ａから隣接するリング部１３の内面に沿ってリブ１６が設けられているので、リブ１６を大径側に隣接するリング部１３の内面に引っ掛けるようにして、隣接するリング部１３同士の位置決めを行う。そして、大径側のリング部１３の小径側端面１３ｂに、隣接する小径側のリング部１３の大径側端面１３ａが当接するように積層する。
【００３４】
次いで、一方のＣ字形状の結合部材２１を手で広げて、結合部材２１を各リング部１３の溝１７に嵌める。まず、結合部材２１の突部２３を、各リング部１３の溝１７に設けられている孔部１５に挿嵌する。そして、結合部材２１を弾性力により復帰させながら、結合部材２１の固定孔部２２に、蓋部１４の固定凸部１４ｂを挿嵌させて、結合部材２１から手を放す。これにより、結合部材２１の弾性力により、上極点Ｐ１と下極点Ｐ２とを接近させる方向に付勢力が作用するので、各リング部１３及び両蓋部１４を結合させる。その後、他方の結合部材２１についても同様にして取り付ける。
【００３５】
以上、説明したように、第１実施形態に係る模型パーツ供給物１は、各リング部１３の端面同士が当接するように各ランナー３０が互いに組み合わせられることにより、各模型パーツ４１が内包された略球状体に組み立てられる。このため、カプセル自販機に対応可能な模型パーツ供給物１を提供することができる。
また、各リング部１３の外面には、略球状体の外観として地球の地図が意匠１２として施されているので、模型パーツ４１を取り出した後に再度組み立てることにより、地球儀の置物として使用することができる。
【００３６】
また、第１実施形態に係る模型パーツ供給物１では、各ランナー３０において、それぞれの各リング部１３における内面１３ｃに、隣接する他のランナー３０における内面に沿うリブ１６が設けられているので、隣接するランナー３０同士の相対的位置決めを行うことができる。また、誤結合を防止できる。
【００３７】
また、第１実施形態に係る模型パーツ供給物１では、各ランナー３０において、支持枝１８及び模型パーツ４１が、リング部１３の端面に沿って配置されている。このため、樹脂成型時に金型から容易に取り出すことができる。
【００３８】
また、第１実施形態に係る模型パーツ供給物１では、各ランナー３０において、支持枝１８及び模型パーツ４１が、リング部１３の小径側端面１３ｂに沿って配置されている。このため、樹脂成型時に金型から一層容易に取り出すことができる。
【００３９】
また、第１実施形態に係る模型パーツ供給物１では、各模型パーツ４１のうちの大型の模型パーツ４１は、各リング部１３のうちの大径のリング部１３に設けられ、小型の模型パーツ４１は、各リング部１３のうちの小径のリング部１３に設けられている。このため、各リング部１３の中空部１１を効率よく使用することができる。
【００４０】
また、第１実施形態に係る模型パーツ供給物１では、ランナー３０の貫通方向に沿った厚み寸法Ｈ１は、各リング部１３が支持枝１８を介して支持する模型パーツ４１における最大厚み寸法Ｈ２よりも大きい。このため、各リング部１３の端面から模型パーツ４１が突出する場合でも、突出量を小さく抑えることができ、模型パーツ供給物１の作成が容易になる。
【００４１】
また、第１実施形態に係る模型パーツ供給物１では、各リング部１３は、互いの積層方向両端部に蓋部１４を有するので、より完全な球状体を形成することができる。
【００４２】
また、第１実施形態に係る模型パーツ供給物１では、各リング部１３の結合状態を維持する結合手段２０を有するので、自動販売機での販売の際に、各リング部１３がばらけるのを防止できる。
【００４３】
また、第１実施形態に係る模型パーツ供給物１では、結合手段２０として、各リング部の積層方向に沿う結合部材２１を有するので、自動販売機での販売の際に、各リング部１３がばらけるのを防止できる。また、結合部材２１は、略球状体の外観の一部を形成するので、略球状を保つとともに、略球状体全体としての意匠１２を設けることができる。
【００４４】
また、第１実施形態に係る模型パーツ供給物１では、結合部材２１の内面２１ａに突部２３を設けるとともに、各リング部１３の溝１７に突部２３が係合される孔部１５を設けた。このため、結合部材２１の突部２３を各リング部１３の溝１７の孔部１５に嵌めることにより、各リング部１３がずれないように位置決めを図ることができる。
【００４５】
［本発明の第２実施形態］
次に、本発明の第２実施形態の模型パーツ供給物２について説明する。
なお、前述した第１実施形態の模型パーツ供給物１と共通する部位には同じ符号を付して、重複する説明を省略することとする。
【００４６】
図９に示すように、第２実施形態の模型パーツ供給物２は、容器部分１０の内部に模型としての人形体を形成するための模型パーツ４２が収容されており、容器部分１０の外側には容器部分１０を覆う結合手段２０としての被覆部材４３を有する。
なお、模型パーツ４２を容器部分１０の内部に取り付けるのは、第１実施形態において前述したように、支持枝１８を用いて取り付ける。
【００４７】
図１０及び図１１に示すように、被覆部材４３は、容器部分１０を収容する内部空間を有しており、二分割可能となっている。したがって、被覆部材４３によって容器部分１０の外側を覆うことにより、容器部分１０の各リング部１３を略球状体に保持している。被覆部材４３の分割方向は、リング部１３の分割方向に直交する方向、すなわち、上極点Ｐ１と下極点Ｐ２とを結ぶ方向に沿って分割するのが好ましい。これにより、各リング部１３を強固に結合することができる。
なお、図９に示した容器部分１０及び被覆部材４３にも、分割線は各々設けられているが、図示は省略している。
【００４８】
容器部分１０及び被覆部材４３は、いずれも人形体の頭部として使用可能となっている。例えば、容器部分１０の外面には全体として泣き面の意匠が施されており、容器部分１０を頭部として用いることにより、泣いている人形体を形成することができる。また、例えば被覆部材４３の外面に全体として笑顔の意匠を施している場合には、被覆部材４３を頭部として使用することにより、笑っている人形体を形成することができる。
なお、図１１に示すように、容器部分１０には、第１実施形態の模型パーツ供給物１で設けた溝１７や孔部１５は設けられていない。
【００４９】
以上、説明したように、第２実施形態に係る模型パーツ供給物２は、各リング部１３を略球状体に結合する結合手段２０として、容器部分１０を略入れ子状に覆うとともに分割可能な略球状の被覆部材４３を用いた。このため、各リング部１３を略球状体に結合することができるとともに、被覆部材４３に意匠を施すことにより、被覆部材４３にも利用価値が生じる。
【００５０】
本発明の人形玩具の模型パーツ供給物１、２は、前述した各実施形態に限定されるものでなく、適宜な変形、改良等が可能である。
例えば、前述した第１実施形態の模型パーツ供給物１においては、各リング部１３の溝１７の底面１７ａに孔部１５を設け、結合部材２１の内面２１ａに突部２３を設けた場合について説明したが、反対に、各リング部１３の溝１７の底面１７ａに突部を設け、結合部材２１の内面２１ａに孔部を設けることも可能である。
このようにしても、前述した第１実施形態と同様の作用、効果を得ることができる。
【符号の説明】
【００５１】
１、２  模型パーツ供給物
１１  中空部
１２  意匠
１３  リング部
１３ａ  大径側端面（端面）
１３ｂ  小径側端面（端面、小径側の端面）
１３ｃ  内面
１３ｄ  外面
１４  蓋部
１５  孔部
１６  リブ
１８  支持枝
２０  結合手段
２１  結合部材
２１ａ  内面（凹状曲面）
２３  突部
３０  ランナー
４０  飛行機（模型）
４１、４２  模型パーツ
４３  被覆部材
Ｈ１  ランナーの厚み寸法
Ｈ２  模型パーツの最大厚み寸法
【図１】
2018157963.tif 000003
【図２】
2018157963.tif 000004
【図３】
2018157963.tif 000005
【図４】
2018157963.tif 000006
【図５】
2018157963.tif 000007
【図６】
2018157963.tif 000008
【図７】
2018157963.tif 000009
【図８】
2018157963.tif 000010
【図９】
2018157963.tif 000011
【図１０】
2018157963.tif 000012
【図１１】
2018157963.tif 000013
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
枠状のリング部と、
前記リング部の内面から中空部に向かって伸びる支持枝と、を備え、
模型を構成する模型パーツが前記支持枝に支持されるランナーを複数有し、
前記各リング部の端面同士が当接するように前記各ランナーが互いに組み合わせられることにより前記各模型パーツが内包された略球状体であり、
前記複数のランナーのうち少なくとも１つのランナーにおいては、前記支持枝が前記リング部における両端面のうち小径側の端面に沿って配置されている模型パーツ供給物。
【請求項２】
請求項１に記載の模型パーツ供給物であって、
前記各ランナーは、それぞれの前記各リング部における内面に設けられ、隣り合う他のランナーにおける内面に沿うリブが設けられている模型パーツ供給物。
【請求項３】
請求項１または請求項２記載の模型パーツ供給物であって、
前記各模型パーツのうちの大型の模型パーツは、前記各リング部のうちの大径のリング部に設けられ、
前記各模型パーツのうちの小型の模型パーツは、前記各リング部のうちの小径のリング部に設けられている模型パーツ供給物。
【請求項４】
請求項１ないし請求項３のうちのいずれか１項に記載の模型パーツ供給物であって、
前記ランナーの貫通方向に沿った厚み寸法は、前記各リング部が前記支持枝を介して支持する前記模型パーツにおける前記リング部の貫通方向に沿った最大寸法よりも大きい模型パーツ供給物。
【請求項５】
請求項１ないし請求項４のうちのいずれか１項に記載の模型パーツ供給物であって、
前記各リング部は、互いの積層方向両端部に前記略球状体の一部となる蓋部を有する模型パーツ供給物。
【請求項６】
請求項１ないし請求項５のうちのいずれか１項に記載の模型パーツ供給物であって、  前記各リング部の結合状態を維持する結合手段を有する模型パーツ供給物。
【請求項７】
請求項６に記載の模型パーツ供給物であって、
前記結合手段は、前記各リング部の積層方向に沿うとともに、前記略球状体の外観の一部を形成する略Ｃ字状の結合部材を有する模型パーツ供給物。
【請求項８】
請求項７に記載の模型パーツ供給物であって、
前記各リング部の外面と、前記結合部材の凹状曲面とのうちの一方に突部が設けられ、
前記各リング部の外面と、前記結合部材の凹状曲面とのうちの他方に前記突部が係合可能な孔部が設けられている模型パーツ供給物。
【請求項９】
請求項６に記載の模型パーツ供給物であって、
前記結合手段は、前記略球状体を略入れ子状に覆うとともに分割可能な略球状の被覆部材を有する模型パーツ供給物。
【手続補正２】
【補正対象書類名】明細書
【補正対象項目名】０００８
【補正方法】変更
【補正の内容】
【０００８】
本発明に係る模型パーツ供給物は、枠状のリング部と、前記リング部の内面から中空部に向かって伸びる支持枝と、を備え、模型を構成する模型パーツが前記支持枝に支持されるランナーを複数有し、前記各リング部の端面同士が当接するように前記各ランナーが互いに組み合わせられることにより前記各模型パーツが内包された略球状体であり、前記各リング部の外面には前記略球状体の外観として統一された意匠が施されていることを特徴とする。また、本発明に係る模型パーツ供給物は、枠状のリング部と、前記リング部の内面から中空部に向かって伸びる支持枝と、を備え、模型を構成する模型パーツが前記支持枝に支持されるランナーを複数有し、前記各リング部の端面同士が当接するように前記各ランナーが互いに組み合わせられることにより前記各模型パーツが内包された略球状体であり、前記複数のランナーのうち少なくとも１つのランナーにおいては、前記支持枝が前記リング部における両端面のうち小径側の端面に沿って配置されていることを特徴とする。